(57)【特許請求の範囲】
【請求項１】
登録局端末が、ユーザを登録し、そのユーザのユーザ端末に対して、認証に必要なユーザＩＤ及びディジタルデータの解読に必要な暗号ＫＥＹをネットワークを介して送信し、
販売会社端末が、前記ネットワーク上にディジタルデータに関する商品データ情報を提供し、ディジタルデータの購入を希望するユーザの前記ユーザ端末から前記ネットワークを介して送信された、その購入を希望するディジタルデータに関する購入データ情報及びユーザＩＤを受信して、前記ユーザからの前記ディジタルデータの注文を受け付け、前記ユーザからのディジタルデータの注文に応じた前記ディジタルデータ及び前記ユーザＩＤを前記ネットワークを介して前記登録局端末に送信し、
前記登録局端末が、前記ユーザＩＤに基づいて前記ユーザを認証し、そのユーザの持っている前記暗号ＫＥＹでのみ解読可能に前記ディジタルデータを暗号化して前記ネットワークを介して前記販売会社端末に送信し、
前記販売会社端末が、暗号化された前記ディジタルデータを前記ユーザ端末に対して前記ネットワークを介して送信する
ことを特徴とするディジタルデータ販売方法。
【請求項２】
登録局端末が、ユーザを登録し、そのユーザのユーザ端末に対して、認証に必要なユーザＩＤ及びディジタルデータの解読に必要な暗号ＫＥＹをネットワークを介して送信し、
販売会社端末が、前記ネットワーク上にディジタルデータに関する商品データ情報を提供し、ディジタルデータの購入を希望するユーザの前記ユーザ端末から前記ネットワークを介して送信された、その購入を希望するディジタルデータに関する購入データ情報及びユーザＩＤを受信して、前記ユーザからの前記ディジタルデータの注文を受け付け、前記ユーザからのディジタルデータの注文に応じた前記ディジタルデータ及び前記ユーザＩＤを前記ネットワークを介して前記登録局端末に送信し、
前記登録局端末が、前記ユーザＩＤに基づいて前記ユーザを認証し、そのユーザの持っている前記暗号ＫＥＹでのみ解読可能に前記ディジタルデータを暗号化して前記ネットワークを介して前記販売会社端末に送信し、
前記販売会社端末が、暗号化された前記ディジタルデータを前記ユーザ端末に対して前記ネットワークを介して送信するとともに、前記ディジタルデータの購入代金の決済処理に必要な課金情報を前記登録局端末に前記ネットワークを介して送信し、
前記登録局端末が、前記課金情報に基づいて購入代金の決済処理を代行する
ことを特徴とするディジタルデータ販売方法。
【請求項３】
登録局端末は、ネットワーク上にユーザの登録を受け付ける登録受付情報を提供し、その登録受付情報にアクセスしてきた前記ユーザのユーザ端末から前記ネットワークを介して送信された、登録に必要な登録情報を受信し、その登録情報に基づいて前記ユーザの登録を行うことを特徴とする請求項１又は請求項２記載のディジタルデータ販売方法。
【請求項４】
ネットワーク上にディジタルデータに関する商品データ情報を提供し、ディジタルデータの購入を希望するユーザのユーザ端末から前記ネットワークを介して送信された、その購入を希望するディジタルデータに関する購入データ情報及びユーザＩＤを受信して、前記ユーザからの前記ディジタルデータの注文を受け付け、前記ユーザからのディジタルデータの注文に応じた前記ディジタルデータ及び前記ユーザＩＤを前記ネットワークを介して送信するとともに、暗号化されたディジタルデータを前記ネットワークを介して前記ユーザ端末に送信する販売会社端末と、
予め、前記ユーザを登録して、そのユーザの認証に必要なユーザＩＤ及びディジタルデータの解読に必要な暗号ＫＥＹを前記ネットワークを介して前記ユーザ端末に送信し、前記ディジタルデータの注文に応じて、前記販売会社端末から前記ネットワークを介して送信された前記ディジタルデータ及び前記ユーザＩＤを受信し、そのユーザＩＤに基づいて前記ユーザを認証し、そのユーザの持っている前記暗号ＫＥＹでのみ解読可能に前記ディジタルデータを暗号化して前記ネットワークを介して前記販売会社端末に送信する登録局端末と
を備えたことを特徴とするディジタルデータ販売システム。
【請求項５】
ネットワーク上にディジタルデータに関する商品データ情報を提供し、ディジタルデータの購入を希望するユーザのユーザ端末から前記ネットワークを介して送信された、その購入を希望するディジタルデータに関する購入データ情報及びユーザＩＤを受信して、前記ユーザからの前記ディジタルデータの注文を受け付け、前記ユーザからのディジタルデータの注文に応じた前記ディジタルデータ及び前記ユーザＩＤを前記ネットワークを介して送信するとともに、暗号化されたディジタルデータを前記ネットワークを介して前記ユーザ端末に送信し、また前記ディジタルデータの購入代金の決済処理に必要な課金情報を前記ネットワークを介して送信する販売会社端末と、
予め、前記ユーザを登録して、そのユーザの認証に必要なユーザＩＤ及びディジタルデータの解読に必要な暗号ＫＥＹを前記ネットワークを介して前記ユーザ端末に送信し、前記ディジタルデータの注文に応じて、前記販売会社端末から前記ネットワークを介して送信された前記ディジタルデータ及び前記ユーザＩＤを受信し、そのユーザＩＤに基づいて前記ユーザを認証し、そのユーザの持っている前記暗号ＫＥＹでのみ解読可能に前記ディジタルデータを暗号化して前記ネットワークを介して前記販売会社端末に送信し、また前記販売会社端末から送信された前記課金情報に基づいて購入代金の決済処理を代行する登録局端末と
を備えたことを特徴とするディジタルデータ販売システム。
【請求項６】
登録局端末は、ネットワーク上にユーザの登録を受け付ける登録受付情報を提供し、その登録受付情報にアクセスしてきた前記ユーザのユーザ端末から前記ネットワークを介して送信された、登録に必要な登録情報を受信し、その登録情報に基づいて前記ユーザの登録を行うことを特徴とする請求項４又は請求項５記載のディジタルデータ販売システム。
【発明の詳細な説明】
【０００１】
【発明の属する技術分野】
この発明は、インターネットなどのネットワークを用いて、例えば、音楽データ、静止画像データ、動画像データ、文書データ、音声データ又はソフトウェアなどのディジタルデータの販売を行うディジタルデータ販売方法及びディジタルデータ販売システムに関するものである。
【０００２】
【従来の技術】
従来のディジタルデータ販売方法では、ユーザが販売会社に対してディジタルデータの注文を行うと、販売会社は、ディジタルデータを保護（第三者の不正購入を防止）するために、販売するディジタルデータを暗号化し、その暗号化したディジタルデータをネットワークを介してユーザ端末に送信していた。そして、ユーザ（注文者）は、販売会社の端末からネットワークを介して送られた暗号ＫＥＹ（暗号鍵）を用いて、購入した暗号化されたディジタルデータを解読（復号化）して使用していた。また、販売会社は、ディジタルデータの購入代金の決済処理のため、注文の度にクレジットカード番号などの決済方法をユーザ（注文者）に問い合わせを行っていた。
【０００３】
【発明が解決しようとする課題】
しかし、上記の従来のディジタルデータ販売方法では、第一に、販売会社自体がディジタルデータを暗号化していたので、販売会社毎に、ディジタルデータを暗号化する暗号化システムを構築する必要があり、各販売会社に大きな負担がかかっていた。
【０００４】
第二に、暗号化されたディジタルデータを解読（復号化）する暗号ＫＥＹは、各販売会社又は販売されるディジタルデータ毎に異なり、ユーザの暗号ＫＥＹの管理が大変であった。
【０００５】
第三に、販売会社がディジタルデータの購入代金の決済処理を行っていたので、販売会社が注文の度に決済処理方法を指定する必要があり、販売会社及びユーザにとって決済処理の手続きの負担が大きかった。
【０００６】
この発明は、上記のような課題を解決するためになされたものであり、各販売会社におけるディジタルデータの暗号化システムの負担を削減することができるディジタルデータ販売方法及びディジタルデータ販売システムを得ることを目的とする。
【０００７】
また、この発明は、ユーザの暗号ＫＥＹの管理を簡略化することができるディジタルデータ販売方法及びディジタルデータ販売システムを得ることを目的とする。
【０００８】
さらに、この発明は、ディジタルデータの購入代金の決済処理に伴う販売会社及びユーザの手続きの負担を軽減することができるディジタルデータ販売方法及びディジタルデータ販売システムを得ることを目的とする。
【０００９】
【課題を解決するための手段】
請求項１記載の発明に係るディジタルデータ販売方法は、登録局端末が、ユーザを登録し、そのユーザのユーザ端末に対して、認証に必要なユーザＩＤ及びディジタルデータの解読に必要な暗号ＫＥＹをネットワークを介して送信し、販売会社端末が、ネットワーク上にディジタルデータに関する商品データ情報を提供し、ディジタルデータの購入を希望するユーザのユーザ端末からネットワークを介して送信された、その購入を希望するディジタルデータに関する購入データ情報及びユーザＩＤを受信して、ユーザからのディジタルデータの注文を受け付け、ユーザからのディジタルデータの注文に応じたディジタルデータ及びユーザＩＤをネットワークを介して登録局端末に送信し、登録局端末が、ユーザＩＤに基づいてユーザを認証し、そのユーザの持っている暗号ＫＥＹでのみ解読可能にディジタルデータを暗号化してネットワークを介して販売会社端末に送信し、販売会社端末が、暗号化されたディジタルデータをユーザ端末に対してネットワークを介して送信するものである。
【００１０】
請求項２記載の発明に係るディジタルデータ販売方法は、登録局端末が、ユーザを登録し、そのユーザのユーザ端末に対して、認証に必要なユーザＩＤ及びディジタルデータの解読に必要な暗号ＫＥＹをネットワークを介して送信し、販売会社端末が、ネットワーク上にディジタルデータに関する商品データ情報を提供し、ディジタルデータの購入を希望するユーザのユーザ端末からネットワークを介して送信された、その購入を希望するディジタルデータに関する購入データ情報及びユーザＩＤを受信して、ユーザからのディジタルデータの注文を受け付け、ユーザからのディジタルデータの注文に応じたディジタルデータ及びユーザＩＤをネットワークを介して登録局端末に送信し、登録局端末が、ユーザＩＤに基づいてユーザを認証し、そのユーザの持っている暗号ＫＥＹでのみ解読可能にディジタルデータを暗号化してネットワークを介して販売会社端末に送信し、販売会社端末が、暗号化されたディジタルデータをユーザ端末に対してネットワークを介して送信するとともに、ディジタルデータの購入代金の決済処理に必要な課金情報を登録局端末にネットワークを介して送信し、登録局端末が、課金情報に基づいて購入代金の決済処理を代行するものである。
【００１１】
請求項３記載の発明に係るディジタルデータ販売方法は、登録局端末が、ネットワーク上にユーザの登録を受け付ける登録受付情報を提供し、その登録受付情報にアクセスしてきたユーザのユーザ端末からネットワークを介して送信された、登録に必要な登録情報を受信し、その登録情報に基づいてユーザの登録を行うものである。
【００１２】
請求項４記載の発明に係るディジタルデータ販売システムは、ネットワーク上にディジタルデータに関する商品データ情報を提供し、ディジタルデータの購入を希望するユーザのユーザ端末からネットワークを介して送信された、その購入を希望するディジタルデータに関する購入データ情報及びユーザＩＤを受信して、ユーザからのディジタルデータの注文を受け付け、ユーザからのディジタルデータの注文に応じたディジタルデータ及びユーザＩＤをネットワークを介して送信するとともに、暗号化されたディジタルデータをネットワークを介してユーザ端末に送信する販売会社端末と、予め、ユーザを登録して、そのユーザの認証に必要なユーザＩＤ及びディジタルデータの解読に必要な暗号ＫＥＹをネットワークを介してユーザ端末に送信し、ディジタルデータの注文に応じて、販売会社端末からネットワークを介して送信されたディジタルデータ及びユーザＩＤを受信し、そのユーザＩＤに基づいてユーザを認証し、そのユーザの持っている暗号ＫＥＹでのみ解読可能にディジタルデータを暗号化してネットワークを介して販売会社端末に送信する登録局端末とを備えたものである。
【００１３】
請求項５記載の発明に係るディジタルデータ販売システムは、ネットワーク上にディジタルデータに関する商品データ情報を提供し、ディジタルデータの購入を希望するユーザのユーザ端末からネットワークを介して送信された、その購入を希望するディジタルデータに関する購入データ情報及びユーザＩＤを受信して、ユーザからのディジタルデータの注文を受け付け、ユーザからのディジタルデータの注文に応じたディジタルデータ及びユーザＩＤをネットワークを介して送信するとともに、暗号化されたディジタルデータをネットワークを介してユーザ端末に送信し、またディジタルデータの購入代金の決済処理に必要な課金情報をネットワークを介して送信する販売会社端末と、予め、ユーザを登録して、そのユーザの認証に必要なユーザＩＤ及びディジタルデータの解読に必要な暗号ＫＥＹをネットワークを介してユーザ端末に送信し、ディジタルデータの注文に応じて、販売会社端末からネットワークを介して送信されたディジタルデータ及びユーザＩＤを受信し、そのユーザＩＤに基づいてユーザを認証し、そのユーザの持っている暗号ＫＥＹでのみ解読可能にディジタルデータを暗号化してネットワークを介して販売会社端末に送信し、また販売会社端末から送信された課金情報に基づいて購入代金の決済処理を代行する登録局端末とを備えたものである。
【００１４】
請求項６記載の発明に係るディジタルデータ販売システムは、登録局端末が、ネットワーク上にユーザの登録を受け付ける登録受付情報を提供し、その登録受付情報にアクセスしてきたユーザのユーザ端末からネットワークを介して送信された、登録に必要な登録情報を受信し、その登録情報に基づいてユーザの登録を行うものである。
【００１５】
【発明の実施の形態】
以下、この発明の実施の一形態を説明する。
図１は、本発明のディジタルデータ販売システムの構成を示すブロック図である。図１に示すように、ユーザ端末１０、登録局端末２０及び販売会社端末３０は、インターネットなどの公衆に対してオープンなネットワーク１００に接続されている。また、メモリカード１１は、ユーザ端末１０に接続可能に構成されている。
【００１６】
図１において、ユーザ端末１０は、ユーザ自身が備えているパーソナルコンピュータなどの情報処理装置であり、このユーザ端末１０は、ネットワーク１００上のホームページ（Ｗｅｂページ）を検索し、そのホームページにアクセスして画面表示するブラウザ機能、ネットワーク１００を介してデータを送受信する送受信機能、受信したデータを保存する保存機能、及び暗号化されたデータを暗号ＫＥＹを用いて解読する機能を備えている。具体的には、以下のような機能を備えている。
【００１７】
ユーザ端末１０は、登録局端末２０がネットワーク１００上に提供している登録受付ホームページにアクセスし、その登録受付ホームページ上の登録受付情報を画面に表示する機能を備えている。ここで、登録受付情報としては、例えば、図２に示すような、ユーザ（注文者）の住所、氏名、年齢、電話番号、決済処理に必要なクレジットカード番号などの入力を促す情報である。
【００１８】
ユーザ端末１０は、登録情報をネットワーク１００を介して登録局端末２０に送信する機能を備えている。ここで、登録情報としては、ユーザ（登録者）が登録受付情報に従って入力した、ユーザ（登録者）の住所、氏名、年齢、電話番号、決済処理に必要なクレジットカード番号などの情報である。
【００１９】
ユーザ端末１０は、登録局端末２０がネットワーク１００を介して送信してくる登録済み情報を画面に表示する機能を備えている。ここで、登録済み情報は、登録が終了したことを告げるメッセージとメモリカード１１のセットを促すメッセージであり、例えば、図３に示すような、「ユーザＩＤと暗号ＫＥＹを送信しますので、メモリカードをセットして下さい」といったメッセージである。
【００２０】
ユーザ端末１０は、メモリカード１１の準備ができたことをネットワーク１００を介して登録局端末２０に送信する機能を備えている。また、ユーザ端末１０は、ネットワーク１００を介して登録局端末２０から送信されるユーザＩＤと暗号ＫＥＹを受信しメモリカード１１に保存する機能を備えている。
【００２１】
ユーザ端末１０は、販売会社端末３０がネットワーク１００上に提供しているホームページにアクセスし、そのホームページ上の商品データ情報を画面に表示する機能を備えている。ここで、商品データ情報は、販売会社が販売するディジタル化された製品（ディジタルデータ）に関する情報であり、例えば、図４に示すような、商品名（製品の名称）、商品番号、価格、購入チェックマークなどの情報がある。尚、ディジタルデータとしては、例えば、音楽データ、静止画像データ、動画像データ、文書データ、音声データ又はソフトウェアなどがある。
【００２２】
ユーザ端末１０は、ユーザ（注文者）が購入を希望する製品（ディジタルデータ）の製品情報である購入データ情報と、ユーザの認証に使用するユーザＩＤとをネットワーク１００を介して販売会社端末３０に送信する機能を備えている。
【００２３】
ユーザ端末１０は、購入した暗号化されたディジタルデータをネットワーク１００を介して販売会社端末３０から受信する機能を備え、また受信した暗号化されたディジタルデータを保存する機能を備えている。
【００２４】
ユーザ端末１０は、購入した暗号化されたディジタルデータを使用する際に、メモリカード１１に保存されている暗号ＫＥＹを用いて、暗号化されたディジタルデータを解読（復号化）する機能を備えている。尚、ディジタルデータは、解読（復号化）された状態ではユーザ端末１０に保存されないようにプロテクトが施されている。従って、ユーザは、ディジタルデータを使用する際には、常に暗号ＫＥＹの保存されたメモリカード１１が要求され、ディジタルデータの不正使用が防止される。
【００２５】
メモリカード１１は、内部に情報を保存できる記録メディアであり、ユーザ端末１０からユーザＩＤと暗号ＫＥＹを受け取り、それらを保存する。
【００２６】
登録局端末２０は、ワークステーション・サーバーなどの情報処理装置で構成され、この登録局端末２０は、ネットワーク１００上にホームページを提供する機能、ユーザを登録する機能、ユーザを認証する機能、ディジタルデータを暗号化する機能、ネットワーク１００を介してデータを送受信する機能、受信したデータを保存する保存機能、及び購入代金の決済処理を行う機能を備えている。具体的には、以下のような機能を備えている。
【００２７】
登録局端末２０は、ネットワーク１００上に登録受付情報を表示する登録受付ホームページを提供する機能を備えている。また、登録局端末２０は、ユーザ端末１０から送られてくる登録情報をネットワーク１００を介して受信する機能を備えている。また、登録局端末２０は、ユーザ端末１０からネットワーク１００を介して登録情報が送られてくると、ユーザの認証に必要なユーザＩＤとディジタルデータの解読（復号化）に必要な暗号ＫＥＹを発行し、それらを自身に保存するとともに、ネットワーク１００を介してユーザ端末１０に送信する機能を備えている。
【００２８】
登録局端末２０は、販売会社端末３０からユーザ（注文者）のユーザＩＤとユーザ（注文者）が購入を希望するディジタルデータをネットワーク１００を介して受信し、ユーザＩＤからユーザを認証し、ディジタルデータをユーザの持つ暗号ＫＥＹでのみ解読できるように暗号化し、その暗号化されたディジタルデータをネットワーク１００を介して販売会社端末３０に送信する機能を備えている。
【００２９】
登録局端末２０は、ネットワーク１００を介して販売会社端末３０から課金情報を受信し、販売会社に代わって購入代金の決済処理を行う機能を備えている。ここで、課金情報としては、例えば、販売したディジタルデータの商品名（製品の名称）、型番、商品番号、価格、購入日時などの情報である。
【００３０】
販売会社端末３０は、ワークステーション・サーバーなどの情報処理装置で構成され、この販売会社端末３０は、ネットワーク１００上にホームページを提供する機能、及びネットワーク１００を介してデータを送受信する機能を備えている。具体的には、以下のような機能を備えている。
【００３１】
販売会社端末３０は、ネットワーク１００上に商品データ情報を表示するホームページを提供する機能を備えている。また、販売会社端末３０は、ネットワーク１００を介してユーザ端末１０から送信される購入データ情報とユーザ（注文者）のユーザＩＤを受信し、そのユーザのユーザＩＤと販売するディジタルデータをネットワーク１００を介して登録局端末２０に送信する機能を備えている。
【００３２】
販売会社端末３０は、登録局端末２０からネットワーク１００を介して暗号化されたディジタルデータを受信し、ネットワーク１００を介してユーザのユーザ端末１０に送信する機能を備えている。また、販売会社端末３０は、ユーザが購入したディジタルデータの課金情報を登録局端末２０に送信する機能を備えている。
【００３３】
次に、動作について説明する。
（１）まず、登録局端末２０のユーザの登録の動作について説明する。
図５は、本発明のディジタルデータ販売方法における、登録局端末２０のユーザの登録の動作を説明するためのフローチャートである。ユーザは、自分のユーザ端末１０を介して登録局端末２０がネットワーク１００上に開設している登録受付ホームページにアクセスする（ステップＳＴ１０１）。これに応答して、登録局端末２０は、登録受付情報をネットワーク１００を介してユーザ端末１０に送信する（ステップＳＴ１０２）。
【００３４】
ユーザ端末１０は、図２に示すような登録受付情報を画面に表示する（ステップＳＴ１０３）。ユーザは、ユーザ端末１０に表示された各種の登録受付情報を見て、画面上で登録情報を入力する（ステップＳＴ１０４）。ユーザによって入力された登録情報は、一時的にユーザ端末１０に蓄えられ、ユーザが図２の画面上の「登録」ボタンをマウスでクリックすることにより、登録局端末２０にネットワーク１００を介して送信される（ステップＳＴ１０５）。
【００３５】
登録局端末２０は、登録情報を受信すると（ステップＳＴ１０６）、ユーザを認証するために必要なユーザＩＤ、及びディジタルデータの解読に必要な暗号ＫＥＹを生成する（ステップＳＴ１０７）。登録局端末２０は、登録が完了すると、図３に示すような登録済み情報、即ち「ユーザＩＤと暗号ＫＥＹを送信しますので、メモリカードをセットして下さい」というメッセージをネットワーク１００を介してユーザ端末１０に送信し（ステップＳＴ１０８）、メモリカード１１のセットをユーザに促す。ユーザ端末１０は、その登録済み情報のメッセージを画面上に表示する（ステップＳＴ１０９）。
【００３６】
ユーザは、画面に表示された登録済み情報のメッセージを見て、メモリカード１１をユーザ端末１０にセットし（ステップＳＴ１１０）、図３の画面上の「受信」ボタンをマウスでクリックすることによって、メモリカード１１がユーザ端末１０にセットされたこと（メモリカード１１の準備ができたこと）を登録局端末２０にネットワーク１００を介して通知する（ステップＳＴ１１１）。
【００３７】
登録局端末２０は、メモリカード１１がユーザ端末１０にセットされた通知を受信すると、ユーザ端末１０にネットワーク１００を介してユーザＩＤと暗号ＫＥＹを送信する（ステップＳＴ１１２）。ユーザ端末１０は、ユーザＩＤと暗号ＫＥＹを受信すると、ユーザ端末１０にセットされたメモリカード１１にユーザＩＤと暗号ＫＥＹを保存する（ステップＳＴ１１３）。
【００３８】
（２）次に、ディジタルデータの購入及び購入代金の決済処理の動作について説明する。
図６は、本発明のディジタルデータ販売方法における、ディジタルデータの購入及び購入代金の決済処理の動作を説明するためのフローチャートである。注文者（ユーザ）は、ユーザ端末１０を介して販売会社端末３０がネットワーク１００上に開設しているホームページにアクセスする（ステップＳＴ２０１）。これに応答して、販売会社端末３０は、商品データ情報をユーザ端末１０にネットワーク１００を介して送信する（ステップＳＴ２０２）。
【００３９】
ユーザ端末１０は、図４に示すような商品データ情報を画面に表示する（ステップＳＴ２０３）。注文者は、ユーザ端末１０の画面に表示された商品データ情報を見て、購入したい商品データを決定し、購入する旨（購入するディジタルデータ）を画面上で入力する（ステップＳＴ２０４）。尚、図４に示す例では、購入するディジタルデータの入力は、購入したいディジタルデータの購入チェックマークを注文者がマウスでクリックすることにより行われる。
【００４０】
注文者によって入力された購入データ情報は、一時的にユーザ端末１０に蓄えられ、注文者が図４の画面上の「購入」ボタンをマウスでクリックすることによって、販売会社端末３０に購入データ情報と注文者のユーザＩＤがネットワーク１００を介して送信される（ステップＳＴ２０５）。
【００４１】
販売会社端末３０は、ユーザ端末１０からの購入データ情報と注文者のユーザＩＤを受信すると、購入データ情報から注文者が購入するディジタルデータを認識し、そのディジタルデータを注文者のユーザＩＤとともに登録局端末２０にネットワーク１００を介して送信する（ステップＳＴ２０６）。
【００４２】
登録局端末２０は、販売会社端末３０からユーザＩＤとディジタルデータを受信すると、ユーザＩＤで注文者を認証し（ステップＳＴ２０７）、ディジタルデータを注文者の持つ暗号ＫＥＹでのみ解読できるように暗号化を行う（ステップＳＴ２０８）。登録局端末２０は、ネットワーク１００を介して暗号化されたディジタルデータを販売会社端末３０に送信する（ステップＳＴ２０９）。
【００４３】
販売会社端末３０は、暗号化されたディジタルデータを受信すると、ネットワーク１００を介して暗号化されたディジタルデータをユーザ端末１０に送信する（ステップＳＴ２１０）。
【００４４】
ユーザ端末１０は、販売会社端末３０から送信された暗号化されたディジタルデータを受信し、そのディジタルデータを保存する（ステップＳＴ２１１）。尚、上記したように、ユーザは、購入したディジタルデータを使用する際、常に、メモリカード１１に保存されている暗号ＫＥＹを使用して、暗号化されたディジタルデータを解読（復号化）しなければならず、その結果、ディジタルデータの不正使用が防止される。
【００４５】
販売会社端末３０は、ネットワーク１００を介して、注文者の課金情報を登録局端末２０に送信する（ステップＳ２１２）。登録局は、登録局端末２０が受信した課金情報に基づいてディジタルデータの購入代金の決済処理を代行する（ステップＳＴ２１３）。
【００４６】
尚、登録局端末２０は、一の販売会社でなく、複数の販売会社に対して、ディジタルデータの暗号化処理及び購入代金の決済処理を代行する。
【００４７】
以上のように、この実施の形態によれば、登録局端末２０が、販売会社（販売会社端末３０）に代わって、ディジタルデータの暗号化処理を行うので、販売会社が、ディジタルデータを暗号化する暗号化システムを備える必要がなく、販売会社におけるディジタルデータの暗号化システムの負担を削減することができる。その結果、各販売会社のディジタルデータの販売業務を効率化することができる。
【００４８】
また、登録局端末２０が、ユーザ（注文者）を登録して、そのユーザに対してユーザＩＤ及び暗号ＫＥＹを発行するので、ユーザは、自分の登録してある登録局（登録局端末２０）の暗号ＫＥＹだけで、異なる販売会社から購入したディジタルデータを解読して使用することができ、ユーザの暗号ＫＥＹの管理を簡略化することができる。
【００４９】
さらに、登録局端末２０が、販売会社（販売会社端末３０）に代わって、購入代金の決済処理を行うので、ディジタルデータの購入代金の決済処理に伴う販売会社及びユーザの手続きの負担を軽減することができる。その結果、各販売会社のディジタルデータの販売業務をより一層効率化することができる。
【００５０】
【発明の効果】
以上のように、本発明によれば、登録局端末が、ユーザを登録し、そのユーザのユーザ端末に対して、認証に必要なユーザＩＤ及びディジタルデータの解読に必要な暗号ＫＥＹをネットワークを介して送信し、販売会社端末が、ユーザ端末からのディジタルデータの注文に応じて、そのディジタルデータ及びユーザＩＤをネットワークを介して登録局端末に送信し、登録局端末が、ユーザＩＤに基づいてユーザを認証し、そのユーザの持っている暗号ＫＥＹでのみ解読可能にディジタルデータを暗号化してネットワークを介して販売会社端末に送信し、販売会社端末が、暗号化されたディジタルデータをユーザ端末に対してネットワークを介して送信するので、販売会社が、ディジタルデータを暗号化する暗号化システムを備える必要がなく、販売会社におけるディジタルデータの暗号化システムの負担を削減することができるとともに、ユーザは、自分の登録してある登録局の暗号ＫＥＹだけで、異なる販売会社から購入したディジタルデータを解読して使用することができ、ユーザの暗号ＫＥＹの管理を簡略化することができるという効果を奏する。
【００５１】
本発明によれば、登録局端末が、ユーザを登録し、そのユーザのユーザ端末に対して、認証に必要なユーザＩＤ及びディジタルデータの解読に必要な暗号ＫＥＹをネットワークを介して送信し、販売会社端末が、ユーザ端末からのディジタルデータの注文に応じて、そのディジタルデータ及びユーザＩＤをネットワークを介して登録局端末に送信し、登録局端末が、ユーザＩＤに基づいてユーザを認証し、そのユーザの持っている暗号ＫＥＹでのみ解読可能にディジタルデータを暗号化してネットワークを介して販売会社端末に送信し、販売会社端末が、暗号化されたディジタルデータをユーザ端末に対してネットワークを介して送信するとともに、ディジタルデータの購入代金の決済処理に必要な課金情報を登録局端末にネットワークを介して送信し、登録局端末が、課金情報に基づいて購入代金の決済処理を代行するので、請求項１の効果の他に、ディジタルデータの購入代金の決済処理に伴う販売会社及びユーザの手続きの負担を軽減することができるという効果を奏する。
【００５２】
本発明によれば、登録局端末は、ネットワーク上にユーザの登録を受け付ける登録受付情報を提供し、その登録受付情報にアクセスしてきたユーザのユーザ端末からネットワークを介して送信された、登録に必要な登録情報を受信し、その登録情報に基づいてユーザの登録を行うので、ユーザにとって容易に登録局に自身を登録することができるという効果を奏する。
【００５３】
本発明によれば、販売会社端末は、ネットワーク上にディジタルデータに関する商品データ情報を提供し、ディジタルデータの購入を希望するユーザのユーザ端末からネットワークを介して送信された、その購入を希望するディジタルデータに関する購入データ情報及びユーザＩＤを受信して、ユーザ端末からのディジタルデータの注文を受け付けるので、ユーザにとって容易に購入を希望するディジタルデータを注文することができるという効果を奏する。
【００５４】
本発明によれば、ユーザのユーザ端末からのディジタルデータの注文を受け付けるとともに、暗号化されたディジタルデータをネットワークを介してユーザ端末に送信する販売会社端末と、予め、ユーザを登録して、そのユーザの認証に必要なユーザＩＤ及びディジタルデータの解読に必要な暗号ＫＥＹをネットワークを介してユーザ端末に送信し、ディジタルデータの注文に応じて、販売会社端末からネットワークを介して送信されたディジタルデータ及びユーザＩＤを受信し、そのユーザＩＤに基づいてユーザを認証し、そのユーザの持っている暗号ＫＥＹでのみ解読可能にディジタルデータを暗号化してネットワークを介して販売会社端末に送信する登録局端末とを備えたので、請求項１と同様、販売会社が、ディジタルデータを暗号化する暗号化システムを備える必要がなく、販売会社におけるディジタルデータの暗号化システムの負担を削減することができるとともに、ユーザは、自分の登録してある登録局の暗号ＫＥＹだけで、異なる販売会社から購入したディジタルデータを解読して使用することができ、ユーザの暗号ＫＥＹの管理を簡略化することができるという効果を奏する。
【００５５】
本発明によれば、ユーザのユーザ端末からのディジタルデータの注文を受け付けるとともに、暗号化されたディジタルデータをネットワークを介してユーザ端末に送信し、またディジタルデータの購入代金の決済処理に必要な課金情報をネットワークを介して送信する販売会社端末と、予め、ユーザを登録して、そのユーザの認証に必要なユーザＩＤ及びディジタルデータの解読に必要な暗号ＫＥＹをネットワークを介してユーザ端末に送信し、ディジタルデータの注文に応じて、販売会社端末からネットワークを介して送信されたディジタルデータ及びユーザＩＤを受信し、そのユーザＩＤに基づいてユーザを認証し、そのユーザの持っている暗号ＫＥＹでのみ解読可能にディジタルデータを暗号化してネットワークを介して販売会社端末に送信し、また販売会社端末から送信された課金情報に基づいて購入代金の決済処理を代行する登録局端末とを備えたので、請求項２と同様、請求項１の効果を奏するとともに、ディジタルデータの購入代金の決済処理に伴う販売会社及びユーザの手続きの負担を軽減することができるという効果を奏する。
【図面の簡単な説明】
【図１】  本発明のディジタルデータ販売システムの構成を示すブロック図である。
【図２】  登録受付情報（登録局端末が提供する登録受付ホームページ）の一例を示す図である。
【図３】  登録済み情報の一例を示す図である。
【図４】  商品データ情報（販売会社端末が提供するホームページ）の一例を示す図である。
【図５】  本発明のディジタルデータ販売方法における、登録局端末のユーザの登録の動作を説明するためのフローチャートである。
【図６】  本発明のディジタルデータ販売方法における、ディジタルデータの購入及び購入代金の決済処理の動作を説明するためのフローチャートである。
【符号の説明】
２０    登録局端末
３０    販売会社端末
１００  ネットワーク
【図１】
0003690239.tif 000002
【図２】
0003690239.tif 000003
【図３】
0003690239.tif 000004
【図４】
0003690239.tif 000005
【図５】
0003690239.tif 000006
【図６】
0003690239.tif 000007